(57)【要約】  受信信号を測定する信号測定部（１０２）と、受信信号の測定結果に基づいて、受信信号を抑圧する重み係数を生成する重み係数生成部（１０３）と、各々が、異なるタイミングで生成された複数の重み係数のうち他の干渉抑圧部とは異なる１つの重み係数を用いて、受信信号に対する干渉抑圧処理を並列に行う干渉抑圧部（１０５−１〜１０５−Ｎ）と、各々が、干渉抑圧部（１０５−１〜１０５−Ｎ）のうちの１つの干渉抑圧部と１対１で接続し、接続する干渉抑圧部で干渉抑圧処理が行われた受信信号を用いて、所望信号の到来を検出する到来検出部（１０６−１〜１０６−Ｎ）と、到来検出部（１０６−１〜１０６−Ｎ）の検出結果に基づいて、所望信号が到来したか否かを判定する到来判定部（１０７）と、到来判定部（１０７）において所望信号が到来したと判定された場合、受信信号に対して復調処理を行う復調処理部（１０８）と、を備える。
2018051454.tif 000002
【特許請求の範囲】
【請求項１】
複数の受信アンテナで受信された信号である受信信号を測定する信号測定部と、
前記信号測定部で測定された受信信号の測定結果に基づいて、前記受信信号を抑圧する重み係数を生成する重み係数生成部と、
各々が、前記重み係数生成部において異なるタイミングで生成された複数の重み係数のうち他の干渉抑圧部とは異なる１つの重み係数を用いて、前記受信信号に対する干渉抑圧処理を並列に行う複数の干渉抑圧部と、
各々が、前記複数の干渉抑圧部のうちの１つの干渉抑圧部と１対１で接続し、接続する干渉抑圧部で干渉抑圧処理が行われた受信信号を用いて、所望信号の到来を検出する複数の到来検出部と、
前記複数の到来検出部の検出結果に基づいて、前記所望信号が到来したか否かを判定する到来判定部と、
前記到来判定部において前記所望信号が到来したと判定された場合、前記複数の受信アンテナで受信された前記受信信号に対して復調処理を行う復調処理部と、
を備えることを特徴とする無線受信装置。
【請求項２】
前記複数の干渉抑圧部では、各々が、前記所望信号に含まれる既知のプリアンブル信号のシンボル数と同じシンボル数の受信信号に対しては同一の重み係数を用いて干渉抑圧処理を行うことにより、
前記複数の干渉抑圧部のうち、前記所望信号が到来する前の前記所望信号の無信号区間の時間帯の受信信号の測定結果に基づく重み係数を用いた干渉抑圧部が、前記プリアンブル信号のシンボル全体に干渉抑圧処理を行う、
ことを特徴とする請求項１に記載の無線受信装置。
【請求項３】
前記複数の干渉抑圧部では、各々が、前記プリアンブル信号の１シンボル長の単位で干渉抑圧の処理の範囲をずらして前記プリアンブル信号のシンボル数分の受信信号に対して並列に干渉抑圧処理を行い、
前記複数の到来検出部のうち、前記プリアンブル信号のシンボル全体に干渉抑圧処理を行った干渉抑圧部と接続する到来検出部が、前記所望信号の到来を検出する、
ことを特徴とする請求項２に記載の無線受信装置。
【請求項４】
前記複数の到来検出部を第１の到来検出部とし、
前記複数の干渉抑圧部のいずれとも接続せず、前記複数の受信アンテナで受信された受信信号を用いて、所望信号の到来を検出する第２の到来検出部と、
前記信号測定部で測定された前記測定結果の変化量を測定し、前記受信信号の受信状況の変化を判定する変化量測定部と、
を備え、
前記到来判定部は、前記変化量測定部の判定に基づいて、前記第１の到来検出部の検出結果を使用するか、前記第２の到来検出部の検出結果を使用するかを決定する、
ことを特徴とする請求項１から３のいずれか１つに記載の無線受信装置。
【請求項５】
前記所望信号に含まれる既知のプリアンブル信号がマルチキャリア信号の場合に、
前記複数の受信アンテナで受信された前記受信信号を、時間領域の受信信号から周波数領域の受信信号に変換する周波数変換部、
を備え、
前記信号測定部は、前記周波数変換部で変換された前記周波数領域の受信信号について、前記マルチキャリア信号毎に測定し、
前記重み係数生成部は、前記マルチキャリア信号毎に重み係数を生成し、
前記複数の干渉抑圧部は、前記マルチキャリア信号毎に生成された重み係数を用いて、前記マルチキャリア信号毎に前記周波数領域の受信信号に対する干渉抑圧処理を並列に行い、
前記複数の到来検出部は、前記マルチキャリア信号毎に干渉抑圧処理が行われた前記周波数領域の受信信号を用いて、所望信号の到来を検出する、
ことを特徴とする請求項１から３のいずれか１つに記載の無線受信装置。
【請求項６】
前記複数の到来検出部を第１の到来検出部とし、
前記複数の干渉抑圧部のいずれとも接続せず、前記周波数変換部で変換後の前記周波数領域の受信信号を用いて、所望信号の到来を検出する第２の到来検出部と、
前記信号測定部で測定された前記測定結果の変化量を測定する変化量測定部と、
を備え、
前記到来判定部は、前記変化量測定部において測定された変化量に基づいて、前記第１の到来検出部の検出結果を使用するか、前記第２の到来検出部の検出結果を使用するかを決定する、
ことを特徴とする請求項５に記載の無線受信装置。
【請求項７】
信号測定部が、複数の受信アンテナで受信された信号である受信信号を測定する信号測定ステップと、
重み係数生成部が、前記信号測定部で測定された受信信号の測定結果に基づいて、前記受信信号を抑圧する重み係数を生成する重み係数生成ステップと、
複数の干渉抑圧部の各々が、前記重み係数生成部において異なるタイミングで生成された複数の重み係数のうち他の干渉抑圧部とは異なる１つの重み係数を用いて、前記受信信号に対する干渉抑圧処理を並列に行う干渉抑圧ステップと、
前記複数の干渉抑圧部のうちの１つの干渉抑圧部と１対１で接続する複数の到来検出部の各々が、接続する干渉抑圧部で干渉抑圧処理が行われた受信信号を用いて、所望信号の到来を検出する到来検出ステップと、
到来判定部が、前記複数の到来検出部の検出結果に基づいて、前記所望信号が到来したか否かを判定する到来判定ステップと、
復調処理部が、前記到来判定部において前記所望信号が到来したと判定された場合、前記複数の受信アンテナで受信された前記受信信号に対して復調処理を行う復調処理ステップと、
を含むことを特徴とする所望信号検出方法。
【発明の詳細な説明】
【技術分野】
【０００１】
本発明は、所望の信号を検出する無線受信装置および所望信号検出方法に関する。
【背景技術】
【０００２】
複数の無線装置がある周波数帯域を共有して通信を行う環境において、受信側の無線装置である無線受信装置は、自システムの無線装置である無線送信装置から送信された信号である所望信号に加えて、自システムとは関係のない他システムの無線送信装置が送信した信号を受信する可能性がある。無線受信装置にとって、他システムの無線送信装置が送信した信号は干渉信号となり、他システムの無線送信装置は干渉源となる。特許文献１および２では、無線受信装置が、干渉源となる無線送信装置を識別し、干渉源となる無線送信装置から送信された干渉信号を抑圧して所望信号を受信する技術が開示されている。
【先行技術文献】
【特許文献】
【０００３】
【特許文献１】特許第５１７５７１８号公報
【特許文献２】特許第３４３９７２４号公報
【発明の概要】
【発明が解決しようとする課題】
【０００４】
しかしながら、上記従来の技術によれば、所望信号の受信電力が干渉信号の受信電力と比較して非常に小さい場合、無線受信装置では、所望信号の到来を検出できない可能性がある。このような場合、無線受信装置は、所望信号を受信することができず通信品質が劣化する、という問題があった。【０００５】
本発明は、上記に鑑みてなされたものであって、複数の無線送信装置が信号を送信可能な環境において、所望信号の到来を検出する無線受信装置を得ることを目的とする。
【課題を解決するための手段】
【０００６】
上述した課題を解決し、目的を達成するために、本発明の無線受信装置は、複数の受信アンテナで受信された信号である受信信号を測定する信号測定部と、信号測定部で測定された受信信号の測定結果に基づいて、受信信号を抑圧する重み係数を生成する重み係数生成部と、を備える。また、無線受信装置は、各々が、重み係数生成部において異なるタイミングで生成された複数の重み係数のうち他の干渉抑圧部とは異なる１つの重み係数を用いて、受信信号に対する干渉抑圧処理を並列に行う複数の干渉抑圧部と、各々が、複数の干渉抑圧部のうちの１つの干渉抑圧部と１対１で接続し、接続する干渉抑圧部で干渉抑圧処理が行われた受信信号を用いて、所望信号の到来を検出する複数の到来検出部と、を備える。また、無線受信装置は、複数の到来検出部の検出結果に基づいて、所望信号が到来したか否かを判定する到来判定部と、到来判定部において所望信号が到来したと判定された場合、複数の受信アンテナで受信された受信信号に対して復調処理を行う復調処理部と、を備えることを特徴とする。
【発明の効果】
【０００７】
本発明にかかる無線受信装置は、複数の無線送信装置が信号を送信可能な環境において、所望信号の到来を検出できる、という効果を奏する。
【図面の簡単な説明】
【０００８】
【図１】実施の形態１にかかる無線受信装置を含む無線通信システムの構成例を示す図
【図２】実施の形態１にかかる無線受信装置の構成例を示すブロック図
【図３】実施の形態１にかかる無線受信装置における所望信号および干渉信号の受信環境の例を示す図
【図４】実施の形態１にかかる無線受信装置において、特徴量の測定から干渉抑圧処理までの処理の流れを示すタイミングチャート
【図５】実施の形態１にかかる無線受信装置において所望信号の到来を検出する処理を示すフローチャート
【図６】実施の形態１にかかる無線受信装置の処理回路をＣＰＵおよびメモリで構成する場合の例を示す図
【図７】実施の形態１にかかる無線受信装置の処置回路を専用のハードウェアで構成する場合の例を示す図
【図８】実施の形態２にかかる無線受信装置の構成例を示すブロック図
【図９】実施の形態２にかかる無線受信装置における所望信号および干渉信号の受信環境の例を示す図
【図１０】実施の形態３にかかる無線受信装置の構成例を示すブロック図
【図１１】実施の形態３にかかる無線受信装置における所望信号および干渉信号の受信環境の例を示す図
【図１２】実施の形態３にかかる無線受信装置において所望信号の到来を検出する処理を示すフローチャート
【図１３】実施の形態４にかかる無線受信装置の構成例を示すブロック図
【図１４】実施の形態４にかかる無線受信装置において所望信号の到来を検出する処理を示すフローチャート
【図１５】実施の形態５にかかる無線受信装置の構成例を示すブロック図
【図１６】実施の形態５にかかる無線受信装置において所望信号の到来を検出する処理を示すフローチャート
【発明を実施するための形態】
【０００９】
以下に、本発明の実施の形態にかかる無線受信装置および所望信号検出方法を図面に基づいて詳細に説明する。なお、この実施の形態によりこの発明が限定されるものではない。
【００１０】
実施の形態１．
図１は、本発明の実施の形態１にかかる無線受信装置１００を含む無線通信システム５００の構成例を示す図である。無線通信システム５００では、無線受信装置１００、および無線送信装置３００，４００，４０１が同一周波数帯域を共有している。無線通信システム５００では、無線送信装置３００が、無線受信装置１００に対して所望信号を送信し、無線送信装置４００，４０１が、図示しない無線受信装置に対して所望信号を送信している。ここで、無線送信装置４００，４０１が送信する信号は、無線受信装置１００にとっては干渉信号となる。図１において、実線の矢印は所望信号を示し、点線の矢印は干渉信号を示す。無線通信システム５００において、無線受信装置１００には、無線送信装置３００からの所望信号とともに、同一時間に無線送信装置４００，４０１からの干渉信号が到来することがある環境を想定している。以降の実施の形態においても同様とする。
【００１１】
無線受信装置１００の構成について説明する。図２は、実施の形態１にかかる無線受信装置１００の構成例を示すブロック図である。なお、図２では、実施の形態１の説明で必要となる構成要素のみを記載しており、一般的な構成については記載を省略している。無線受信装置１００は、受信アンテナ１０１−１，…，１０１−Ｍと、信号測定部１０２と、重み係数生成部１０３と、リングバッファ１０４と、干渉抑圧部１０５−１，…，１０５−Ｎと、到来検出部１０６−１，…，１０６−Ｎと、到来判定部１０７と、復調処理部１０８と、を備える。ここで、ＭおよびＮは自然数であり、ＭおよびＮの大小関係は問わない。なお、図２では、受信アンテナ１０１−１，…，１０１−Ｍが無線受信装置１００の外部にあるが、受信アンテナ１０１−１，…，１０１−Ｍを含めて無線受信装置１００とする。以降の実施の形態においても同様とする。
【００１２】
以降の説明において、受信アンテナ１０１−１，…，１０１−Ｍを区別しない場合、受信アンテナ１０１と称することがある。また、干渉抑圧部１０５−１，…，１０５−Ｎを区別しない場合、干渉抑圧部１０５と称することがある。また、到来検出部１０６−１，…，１０６−Ｎを区別しない場合、到来検出部１０６と称することがある。
【００１３】
受信アンテナ１０１−１，…，１０１−Ｍは、無線受信装置１００に対して所望信号を送信する無線送信装置３００から送信された所望信号とともに、干渉源となる無線送信装置４００，４０１から送信された干渉信号を受信する。受信アンテナ１０１−１，…，１０１−Ｍにおいて受信された信号である受信信号には、無線送信装置３００から送信された所望信号、および無線送信装置４００，４０１から送信された干渉信号が含まれる。
【００１４】
信号測定部１０２は、受信アンテナ１０１−１，…，１０１−Ｍで受信された受信信号について、例えば、各受信アンテナ１０１−１，…，１０１−Ｍで受信された受信信号毎の特徴量を測定する。特徴量とは、前述の特許文献１に記載の特徴量と同様のものである。
【００１５】
重み係数生成部１０３は、信号測定部１０２で測定された測定結果である受信信号毎の特徴量から各特徴量についての相関値を求め、受信アンテナ１０１−１，…，１０１−Ｍで受信された受信信号を抑圧するための重み係数を生成する。なお、相関値については、信号測定部１０２が相関値を求めて重み係数生成部１０３に通知してもよい。
【００１６】
リングバッファ１０４は、重み係数生成部１０３で生成された重み係数を順番に保管する。リングバッファ１０４は、後述する所望信号のプリアンブル信号のシンボル数と同じＮ個の重み係数を保管する。
【００１７】
干渉抑圧部１０５−１，…，１０５−Ｎは、各々がリングバッファ１０４に保管された複数の重み係数のうち他の干渉抑圧部１０５とは異なる１つの重み係数を用いて、受信アンテナ１０１−１，…，１０１−Ｍで受信された受信信号に対して干渉抑圧処理を行う。干渉抑圧部１０５−１，…，１０５−Ｎの全体として、干渉抑圧処理を並列に行う。
【００１８】
到来検出部１０６−１，…，１０６−Ｎは、各々が干渉抑圧部１０５−１，…，１０５−Ｎのうちの１つの干渉抑圧部１０５と１対１で接続し、接続する干渉抑圧部１０５で干渉抑圧処理が行われた受信信号を用いて、無線送信装置３００からの所望信号の到来を検出する。
【００１９】
到来判定部１０７は、到来検出部１０６−１，…，１０６−Ｎの検出結果に基づいて、無線送信装置３００から所望信号が到来したか否かを判定する。
【００２０】
復調処理部１０８は、到来判定部１０７において無線送信装置３００から所望信号が到来したと判定された場合、受信アンテナ１０１−１，…，１０１−Ｍで受信された受信信号に対して復調処理を行う。
【００２１】
図３は、実施の形態１にかかる無線受信装置１００における所望信号２００および干渉信号２１０−１，２１０−２の受信環境の例を示す図である。図３に示す通り、所望信号２００は、無線受信装置１００において所望信号２００の到来を検出するために用いる無線受信装置１００において既知なＮ個のプリアンブル信号２０３−１，…，２０３−Ｎと、データ信号２０４と、から構成される。実施の形態１では、所望信号２００の到来経路は１つとする。また、プリアンブル信号２０３−１の手前の時間帯には、無線送信装置３００からの信号が存在しない無信号区間２０２が存在する。図３の例では、干渉信号２１０−１，２１０−２は、所望信号２００とともに無線受信装置１００に到来しているものとする。
【００２２】
ここで、無線受信装置１００は、無信号区間２０２において、所望信号２００以外の信号、すなわち干渉信号２１０−１，２１０−２を観測することができる。無線受信装置１００は、重み係数生成部１０３が、無信号区間２０２において信号測定部１０２で測定された特徴量から所望信号２００以外の全ての信号、すなわち干渉信号２１０−１，２１０−２による干渉を抑圧するための重み係数を生成する。無線受信装置１００は、プリアンブル信号２０３−１，…，２０３−Ｎの受信区間において、重み係数生成部１０３で生成された重み係数を用いて、干渉抑圧部１０５−１〜１０５−Ｎのうちのいずれかの干渉抑圧部１０５において干渉抑圧処理を行う。これにより、無線受信装置１００は、到来検出部１０６−１〜１０６−Ｎのいずれかの到来検出部１０６において、干渉信号２１０−１，２１０−２による干渉の影響を低減したプリアンブル信号２０３−１，…，２０３−Ｎを検出でき、その結果、所望信号２００の到来を検出することができる。
【００２３】
しかしながら、無線受信装置１００では、無線送信装置３００からいつ所望信号２００が到来するかについては把握していない。そのため、無線受信装置１００は、受信信号に対して時間をずらしつつ、並列に干渉抑圧処理および所望信号の到来を検出する処理を行う。
【００２４】
図４は、実施の形態１にかかる無線受信装置１００において、特徴量の測定から干渉抑圧処理までの処理の流れを示すタイミングチャートである。図４に示す通り、無線受信装置１００では、まず、信号測定部１０２が、受信信号に対して、プリアンブル信号の１つのシンボル長を受信する時間単位で重み係数の生成に必要な特徴量を測定する。重み係数生成部１０３は、信号測定部１０２から測定結果である特徴量が出力される毎に、最新の測定結果と過去の測定結果を用いて、測定結果の対象の受信信号を抑圧するための重み係数を生成する。なお、図４に示す必要な数の測定結果とは、１つ以上であればよい。測定結果の数が多いほど突発的なノイズなどの影響を低減できるが、多すぎると図示しない前回受信した所望信号２００のデータ信号２０４を含む可能性がある。そのため、必要な数については、無線通信システム５００の管理者などが、無線通信システム５００の運用形態にあわせて設定すればよい。
【００２５】
干渉抑圧部１０５−１，…，１０５−Ｎは、各々、重み係数生成部１０３において異なるタイミングで生成された重み係数のうちの１つの重み係数を用いて、プリアンブル信号２０３−１，…，２０３−Ｎのシンボル数と同じＮシンボル分、同じ重み係数で干渉抑圧処理を行う。干渉抑圧部１０５−１，…，１０５−Ｎは、各々重み係数生成部１０３において異なるタイミングで生成された重み係数をＮシンボル分使用後、前回使用した重み係数が保管されていたリングバッファ１０４の同じ位置に保管されていた更新後の重み係数を読み出し、Ｎシンボル分同一の重み係数を用いて干渉抑圧処理を行う。干渉抑圧部１０５−１，…，１０５−Ｎでは、プリアンブル信号２０３−１，…，２０３−Ｎの１つのシンボルが受信される時間間隔と同じ時間間隔毎に、いずれかの干渉抑圧部１０５が重み係数を更新し、更新した重み係数を用いてＮシンボル分干渉抑圧処理を行う。
【００２６】
ここで、リングバッファ１０４は、Ｎ個の重み係数を保管できる構成であり、重み係数生成部１０３でＮ＋１個目に生成された重み係数については、１番目のバッファに上書き、すなわち重み係数を更新する。リングバッファ１０４は、ある干渉抑圧部１０５においてＮシンボル分の干渉抑圧処理が終了すると、干渉抑圧部１０５がＮシンボル分の干渉抑圧処理を行うのと同じ周期で、ある干渉抑圧部１０５が重み係数を読み出した位置の重み係数を更新する。無線受信装置１００では、干渉抑圧部１０５−１，…，１０５−Ｎで使用される重み係数とリングバッファ１０４内の重み係数とを１対１に対応させることにより、リングバッファ１０４内の重み係数の更新周期すなわち重み係数の数と、プリアンブル信号２０３−１〜２０３−Ｎのシンボル数とが同一となる。これにより、無線受信装置１００では、干渉抑圧部１０５−１，…，１０５−Ｎおよび到来検出部１０６−１，…，１０６−Ｎが、プリアンブル信号２０３−１〜２０３−Ｎの１シンボル分ずつ時間をずらして処理を行うことによって、所望信号２００がどのタイミングで到来した場合においても漏らすことなく、所望信号２００の到来を検出することが可能となる。
【００２７】
無線受信装置１００では、いずれかの干渉抑圧部１０５が所望信号２００のプリアンブル信号２０３−１〜２０３−Ｎのシンボル全体に対して干渉抑圧処理を行ったタイミングで、所望信号２００のプリアンブル信号２０３−１〜２０３−Ｎに対して干渉抑圧処理を行った干渉抑圧部１０５と接続する到来検出部１０６が、所望信号２００の到来を検出する。無線受信装置１００は、プリアンブル信号２０３−１〜２０３−Ｎを受信したタイミングで所望信号２００の到来を検出できるため、プリアンブル信号２０３−１〜２０３−Ｎに続いて受信するデータ信号２０４を復調することができる。
【００２８】
なお、プリアンブル信号２０３−１〜２０３−Ｎの構成によっては、無線受信装置１００では、いずれかの干渉抑圧部１０５が所望信号２００のプリアンブル信号２０３−１〜２０３−（Ｎ−α）に対して干渉抑圧処理を行ったタイミングで、所望信号２００のプリアンブル信号２０３−１〜２０３−（Ｎ−α）に対して干渉抑圧処理を行った干渉抑圧部１０５と接続する到来検出部１０６が、所望信号２００がαシンボル後に到来することを検出できる場合がある。なお、αはＮより小さい自然数とする。
【００２９】
このように、無線受信装置１００では、干渉抑圧部１０５−１〜１０５−Ｎの各々が、所望信号２００に含まれる既知のプリアンブル信号２０３−１〜２０３−Ｎのシンボル数と同じシンボル数の受信信号に対しては同一の重み係数を用いて干渉抑圧処理を行う。これにより、干渉抑圧部１０５−１〜１０５−Ｎのうち、所望信号２００が到来する前の所望信号２００の無信号区間２０２の時間帯の受信信号の測定結果に基づく重み係数を用いた干渉抑圧部１０５が、プリアンブル信号２０３−１〜２０３−Ｎのシンボル全体に干渉抑圧処理を行うことができる。
【００３０】
また、干渉抑圧部１０５−１〜１０５−Ｎの各々が、プリアンブル信号２０３−１〜２０３−Ｎの１シンボル長の単位で干渉抑圧処理の範囲をずらしてプリアンブル信号２０３−１〜２０３−Ｎのシンボル数分の受信信号に対して並列に干渉抑圧処理を行う。到来検出部１０６−１〜１０６−Ｎのうち、プリアンブル信号２０３−１〜２０３−Ｎのシンボル全体に干渉抑圧処理を行った干渉抑圧部１０５と接続する到来検出部１０６が、所望信号２００の到来を検出する。これにより、無線受信装置１００は、どのタイミングで所望信号２００のプリアンブル信号２０３−１〜２０３−Ｎが到来しても、検出漏れすることなく所望信号２００の到来を検出することができる。
【００３１】
図５は、実施の形態１にかかる無線受信装置１００において所望信号２００の到来を検出する処理を示すフローチャートである。まず、無線受信装置１００では、信号測定部１０２が、受信アンテナ１０１−１，…，１０１−Ｍで受信された受信信号を測定、具体的には受信信号の特徴量を測定する（ステップＳ１）。
【００３２】
重み係数生成部１０３は、信号測定部１０２で測定された特徴量を用いて重み係数を生成する（ステップＳ２）。重み係数生成部１０３は、生成した重み係数をリングバッファ１０４に保管する。干渉抑圧部１０５−１，…，１０５−Ｎは、リングバッファ１０４に保管された重み係数を用いて、受信信号に対して干渉抑圧処理を行う（ステップＳ３）。到来検出部１０６−１，…，１０６−Ｎは、干渉抑圧部１０５−１，…，１０５−Ｎにおいて干渉抑圧処理が行われた受信信号を用いて、所望信号の到来の検出を試みる（ステップＳ４）。
【００３３】
到来検出部１０６−１，…，１０６−Ｎにおいて所望信号の到来が検出されない場合（ステップＳ４：Ｎｏ）、干渉抑圧部１０５−１，…，１０５−Ｎは、干渉抑圧処理を継続する（ステップＳ３）。到来検出部１０６−１，…，１０６−Ｎのうちのいずれかの到来検出部１０６において所望信号の到来が検出された場合（ステップＳ４：Ｙｅｓ）、所望信号の到来を検出した到来検出部１０６から、到来判定部１０７に所望信号の到来を検出したことを通知する。到来判定部１０７は、所望信号の到来を復調処理部１０８に通知する。そして、復調処理部１０８は、受信アンテナ１０１−１，…，１０１−Ｍで受信された受信信号を復調する（ステップＳ５）。
【００３４】
つづいて、無線受信装置１００のハードウェア構成について説明する。無線受信装置１００において、受信アンテナ１０１−１，…，１０１−Ｍは、一般的な汎用のアンテナ素子により実現される。復調処理部１０８は、デモジュレータ回路により実現される。無線受信装置１００において、信号測定部１０２、重み係数生成部１０３、リングバッファ１０４、干渉抑圧部１０５−１，…，１０５−Ｎ、到来検出部１０６−１，…，１０６−Ｎ、および到来判定部１０７は、処理回路により実現される。すなわち、無線受信装置１００は、受信信号の特徴量を測定し、重み係数を生成し、重み係数を用いた受信信号の干渉抑圧処理を並列に行い、所望信号の到来を検出するための処理回路を備える。処理回路は、メモリに格納されるプログラムを実行するＣＰＵ（Central  Processing  Unit）およびメモリであってもよいし、専用のハードウェアであってもよい。
【００３５】
図６は、実施の形態１にかかる無線受信装置１００の処理回路をＣＰＵおよびメモリで構成する場合の例を示す図である。処理回路がＣＰＵ９１およびメモリ９２で構成される場合、無線受信装置１００の処理回路の各機能は、ソフトウェア、ファームウェア、またはソフトウェアとファームウェアとの組み合わせにより実現される。ソフトウェアまたはファームウェアはプログラムとして記述され、メモリ９２に格納される。処理回路では、メモリ９２に記憶されたプログラムをＣＰＵ９１が読み出して実行することにより、各機能を実現する。すなわち、無線受信装置１００において、処理回路は、受信信号の特徴量を測定するステップ、重み係数を生成するステップ、重み係数を用いた受信信号の干渉抑圧処理を並列に行うステップ、および所望信号の到来を検出するステップが結果的に実行されることになるプログラムを格納するためのメモリ９２を備える。また、これらのプログラムは、無線受信装置１００の手順および方法をコンピュータに実行させるものであるともいえる。ここで、ＣＰＵ９１は、処理装置、演算装置、マイクロプロセッサ、マイクロコンピュータ、プロセッサ、またはＤＳＰ（Digital  Signal  Processor）などであってもよい。また、メモリ９２とは、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（Electrically  ＥＰＲＯＭ）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。
【００３６】
図７は、実施の形態１にかかる無線受信装置１００の処置回路を専用のハードウェアで構成する場合の例を示す図である。処理回路が専用のハードウェアである場合、図７に示す処理回路９３は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。無線受信装置１００の各機能を機能別に処理回路９３で実現してもよいし、各機能をまとめて処理回路９３で実現してもよい。
【００３７】
なお、無線受信装置１００の各機能について、一部を専用のハードウェアで実現し、一部をソフトウェアまたはファームウェアで実現するようにしてもよい。このように、処理回路は、専用のハードウェア、ソフトウェア、ファームウェア、またはこれらの組み合わせによって、上述の各機能を実現することができる。
【００３８】
以上説明したように、本実施の形態によれば、無線受信装置１００では、プリアンブル信号のシンボル数と同じＮ個の干渉抑圧部１０５−１，…，１０５−Ｎが、異なるタイミングで生成された重み係数を用いて並列に干渉抑圧処理を行い、Ｎ個の到来検出部１０６−１，…，１０６−Ｎが、異なる重み係数で干渉抑圧処理が行われた受信信号を用いて、並列に所望信号の到来を検出することとした。これにより、無線受信装置１００は、プリアンブル信号全体に対して所望信号が存在しない無信号区間で測定した測定結果に基づく重み係数を用いて干渉抑圧処理を行う関係を漏れなく維持しているため、プリアンブル信号に対して干渉抑圧処理を行うことにより、所望信号の到来を検出する精度を向上させることができる。
【００３９】
実施の形態２．
実施の形態１では、無線受信装置１００において所望信号２００の到来経路は１つとしていた。実施の形態２では、無線受信装置において所望信号の到来経路が複数ある場合について説明する。実施の形態１と異なる部分について説明する。
【００４０】
図８は、実施の形態２にかかる無線受信装置１００ａの構成例を示すブロック図である。なお、図８では、実施の形態２の説明で必要となる構成要素のみを記載しており、一般的な構成については記載を省略している。無線受信装置１００ａは、無線受信装置１００に対して、リングバッファ１０４および到来判定部１０７をリングバッファ１０４ａおよび到来判定部１０７ａに置き換え、さらに、干渉抑圧部１０５−（Ｎ＋１）〜１０５−Ｋ、および到来検出部１０６−（Ｎ＋１）〜１０６−Ｋを追加したものである。ここで、ＫはＮより大きい自然数であり、ＭおよびＫの大小関係は問わない。
【００４１】
干渉抑圧部１０５−（Ｎ＋１）〜１０５−Ｋの各々は、前述の干渉抑圧部１０５−１などと同様の動作を行う。到来検出部１０６−（Ｎ＋１）〜１０６−Ｋの各々は、前述の到来検出部１０６−１などと同様の動作を行う。リングバッファ１０４ａは、Ｋ個の重み係数を保管する。到来判定部１０７ａは、Ｋ個の到来検出部１０６−１〜１０６−Ｋと接続可能である。すなわち、無線受信装置１００ａは、無線受信装置１００よりもＫ−Ｎ個並列数を増やして、Ｋ個並列に受信信号の干渉抑圧処理および所望信号の到来を検出する処理を行う。
【００４２】
図９は、実施の形態２にかかる無線受信装置１００ａにおける所望信号２００ａ，２００ｂおよび干渉信号２１０−１，２１０−２の受信環境の例を示す図である。実施の形態２では、干渉信号２１０−１，２１０−２の状況は実施の形態１と同様であるが、所望信号の到来経路が複数存在することを想定している。図９の例では、所望信号２００ａ，２００ｂの２つの到来経路があるものとする。
【００４３】
到来経路が複数の場合、無線受信装置１００ａには、到来経路の長い方の所望信号が遅れて到来する。図９の例では、所望信号２００ａよりも所望信号２００ｂが遅れて無線受信装置１００ａに到来してくる。しかしながら、到来する所望信号の電力は到来経路の長さに比例するものではなく、遅れてきた所望信号２００ｂの受信電力の方が所望信号２００ａの受信電力よりも大きく、到来検出に向いていることもある。そのため、無線受信装置１００ａは、図８に示すように、プリアンブル信号のシンボル数であるＮ個よりも多いＫ個並列に受信信号の干渉抑圧処理および所望信号の到来を検出する処理を行う。これにより、無線受信装置１００ａは、遅れて到来した所望信号２００ｂについても、無信号区間２０２の特徴量に基づく重み係数を使用することが可能となる。なお、図９の例では、到来経路の数を２つとしていたが、一例であり、３つ以上の到来経路においても同様の効果を奏する。
【００４４】
無線受信装置１００ａにおける所望信号２００ａ，２００ｂの到来を検出する処理は、図５に示す実施の形態１のフローチャートと同様である。
【００４５】
なお、無線受信装置１００ａの構成については、図６および図７に示す実施の形態１と同様のハードウェアにより実現される。
【００４６】
以上説明したように、本実施の形態によれば、無線受信装置１００ａでは、干渉抑圧部１０５における干渉抑圧処理および到来検出部１０６における所望信号の到来を検出する処理の並列数を、プリアンブル信号のシンボル数よりも多くすることとした。これにより、無線受信装置１００ａは、遅れて到来した所望信号についても、所望信号の到来を検出する対象とすることができ、実施の形態１と比較して、さらに、所望信号の到来を検出する精度を向上させることができる。
【００４７】
実施の形態３．
実施の形態１および２では、無線受信装置において、所望信号の受信前の無信号区間２０２、および所望信号のプリアンブル信号の受信区間において干渉信号２１０−１，２１０−２の受信状況は変化していなかった。実施の形態３では、所望信号の受信前の無信号区間２０２、または所望信号のプリアンブル信号の受信区間において干渉信号の受信状況が変化する場合について説明する。実施の形態２と異なる部分について説明する。
【００４８】
図１０は、実施の形態３にかかる無線受信装置１００ｂの構成例を示すブロック図である。なお、図１０では、実施の形態３の説明で必要となる構成要素のみを記載しており、一般的な構成については記載を省略している。無線受信装置１００ｂは、無線受信装置１００ａに対して、到来判定部１０７ａを到来判定部１０７ｂに置き換え、さらに、到来検出部１０６ｂ、および変化量測定部１０９を追加したものである。
【００４９】
到来検出部１０６ｂは、干渉抑圧部１０５−１〜１０５−Ｋのいずれとも接続せず、受信アンテナ１０１−１〜１０１−Ｍで受信されて干渉抑圧処理が行われていない受信信号を用いて、所望信号の到来を検出する。到来検出部１０６ｂの動作は、前述の到来検出部１０６−１などの動作と同様である。なお、到来検出部１０６−１〜１０６−Ｋを第１の到来検出部とし、到来検出部１０６ｂを第２の到来検出部とする。
【００５０】
変化量測定部１０９は、信号測定部１０２において測定された測定結果すなわち特徴量の変化量を測定する。変化量測定部１０９は、具体的に、信号測定部１０２から出力された特徴量を受信電力に変換し、受信電力の変化量を測定する。変化量測定部１０９は、測定した変化量に基づいて、無線受信装置１００ｂにおける受信信号の受信状況の変化を判定する。
【００５１】
到来判定部１０７ｂは、Ｋ＋１個の到来検出部１０６−１〜１０６−Ｋ，１０６ｂと接続可能であり、到来検出部１０６−１〜１０６−Ｋ，１０６ｂで所望信号が検出されたか否かを判定する。ここで、到来判定部１０７ｂは、変化量測定部１０９の判定に基づいて、到来検出部１０６−１〜１０６−Ｋの検出結果を使用するか、到来検出部１０６ｂの検出結果を使用するかを決定する。すなわち、到来判定部１０７ｂは、変化量測定部１０９の判定に基づいて、到来判定に使用する到来検出部１０６を決定する。
【００５２】
図１１は、実施の形態３にかかる無線受信装置１００ｂにおける所望信号２００および干渉信号２１０ｂ−１，２１０ｂ−２の受信環境の例を示す図である。実施の形態３では、実施の形態１および２と異なり、無線受信装置１００ｂが無信号区間２０２で干渉測定している途中で干渉信号２１０ｂ−１が出現することがあり、また、所望信号２００のプリアンブル信号２０３−１〜２０３−Ｎの到来検出中に干渉信号２１０ｂ−２が消失することがある環境を想定する。なお、図１１では、所望信号２００の到来経路が１つの場合を示しているが、一例であり、実施の形態２と同様、所望信号の到来経路が２つ以上の場合にも同様の効果を奏する。
【００５３】
図１１に示すような受信環境では、実施の形態１で説明した無線受信装置１００を用いた場合、干渉信号２１０ｂ−１，２１０ｂ−２の受信状況の変化により、干渉抑圧処理が逆効果になる可能性がある。すなわち、無信号区間２０２の受信信号により生成された重み係数には、干渉信号２１０ｂ−１の影響が部分的になる。そのため、無信号区間２０２の受信信号により生成された重み係数を用いた場合、無線受信装置１００ｂでは、プリアンブル信号２０３−１〜２０３−Ｎを受信する区間のうち、干渉信号２１０ｂ−１，２１０ｂ−２を受信している区間では、受信信号に対して干渉抑圧処理の抑圧量が小さくなる可能性があり、逆に干渉信号２１０ｂ−１を受信している区間では、受信信号に対して干渉抑圧処理の抑圧量が大きくなる可能性がある。
【００５４】
そのため、無線受信装置１００ｂでは、変化量測定部１０９において、信号測定部１０２で測定された受信信号の特徴量の変化量を測定する。変化量測定部１０９は、信号測定部１０２から取得した特徴量を受信電力に変換し、受信電力の変化量が、例えば規定された閾値以上変化した場合、無線受信装置１００ｂにおいて、受信信号の受信状況が変化したと判定する。受信状況が変化した場合とは、無線受信装置１００ｂにおいて、受信した信号の数が減った場合、または受信した信号の数が増えた場合である。受信した信号の増減の対象となる信号は、図１１に示す干渉信号２１０ｂ−１，２１０ｂ−２の他、所望信号２００も対象となる。変化量測定部１０９は、受信信号の受信状況が変化したと判定した場合、受信信号の受信状況が変化したことを到来判定部１０７ｂに通知する。なお、変化量測定部１０９は、受信信号の受信状況が変化していないと判定した場合、受信信号の受信状況が変化していないことを到来判定部１０７ｂに通知してもよい。
【００５５】
到来判定部１０７ｂは、変化量測定部１０９からの通知に基づいて、干渉抑圧処理が行われた受信信号に基づく到来検出部１０６−１〜１０６−Ｋによる到来検出結果を使用するか否かを判断する。例えば、変化量測定部１０９から受信信号の受信状況が変化した旨の通知を受けた場合、到来判定部１０７ｂは、変化したシンボルを含む重み係数を用いた干渉抑圧部１０５−１〜１０５−Ｋによって干渉抑圧処理が行われた受信信号に基づいて到来検出部１０６−１〜１０６−Ｋが所望信号の到来検出をすると思われるタイミングでは、干渉抑圧処理を行っていない受信信号を用いて到来検出を行う到来検出部１０６ｂが出力する検出結果を用いる。
【００５６】
これにより、無線受信装置１００ｂでは、干渉信号の突然の消失または出現にも対応しつつ、到来する信号に対して重み付けによる干渉抑圧処理を実現することが可能である。
【００５７】
図１２は、実施の形態３にかかる無線受信装置１００ｂにおいて所望信号２００の到来を検出する処理を示すフローチャートである。ステップＳ１からステップＳ３までの処理は、実施の形態１，２の処理と同様である。
【００５８】
無線受信装置１００ｂでは、変化量測定部１０９が、信号測定部１０２で測定された受信信号の特徴量の変化量を測定する（ステップＳ１１）。変化量測定部１０９は、受信信号の受信状況が変化したか否かを到来判定部１０７ｂに通知する。到来判定部１０７ｂは、変化量測定部１０９からの通知に基づいて、どの到来検出部の検出結果を使用するか、すなわち、到来検出に使用する到来検出部を決定する（ステップＳ１２）。到来判定部１０７ｂは、前述のように、変化量測定部１０９から受信信号の受信状況が変化した旨の通知を受けた場合、干渉抑圧処理を行っていない受信信号を用いて到来検出を行う到来検出部１０６ｂを使用することを決定する。一方、到来判定部１０７ｂは、変化量測定部１０９から受信信号の受信状況が変化していない旨の通知を受けた場合、干渉抑圧処理を行った受信信号を用いて到来検出を行う到来検出部１０６−１〜１０６−Ｋを使用することを決定する。
【００５９】
以降のステップＳ４からステップＳ５までの処理は、実施の形態１，２の処理と同様である。なお、図１２のフローチャートでは、無線受信装置１００ｂは、ステップＳ３の処理の後にステップＳ１１およびステップＳ１２の処理を行っているが、ステップＳ２およびステップＳ３の処理と、ステップＳ１１およびステップＳ１２の処理を並行して行ってもよい。
【００６０】
なお、無線受信装置１００ｂの構成については、図６および図７に示す実施の形態１と同様のハードウェアにより実現される。
【００６１】
以上説明したように、本実施の形態によれば、無線受信装置１００ｂでは、受信信号の受信状況の変化を判定し、受信状況に変化があった場合、受信状況に変化があったときの測定結果を用いて生成された重み係数を使用して干渉抑圧処理をした受信信号については、所望信号の到来を検出する処理に使用しないこととした。これにより、無線受信装置１００ｂは、干渉信号の突然の消失または出現にも対応しつつ、到来する信号に対して重み付けによる干渉抑圧処理を実現することができる。
【００６２】
実施の形態４．
実施の形態４では、実施の形態２と同様の受信環境において、所望信号に含まれる既知のプリアンブル信号がＯＦＤＭ（Orthogonal  Frequency  Division  Multiplexing）信号を例としたマルチキャリア信号の場合について説明する。実施の形態２と異なる部分について説明する。
【００６３】
図１３は、実施の形態４にかかる無線受信装置１００ｃの構成例を示すブロック図である。なお、図１３では、実施の形態４の説明で必要となる構成要素のみを記載しており、一般的な構成については記載を省略している。無線受信装置１００ｃは、受信アンテナ１０１−１，…，１０１−Ｍと、周波数変換部１１０−１，…，１１０−Ｍと、信号測定部１０２ｃと、重み係数生成部１０３ｃと、リングバッファ１０４ｃと、干渉抑圧部１０５ｃ−１，…，１０５ｃ−Ｋと、到来検出部１０６ｃ−１，…，１０６ｃ−Ｋと、到来判定部１０７ｃと、復調処理部１０８ｃと、を備える。
【００６４】
以降の説明において、周波数変換部１１０−１，…，１１０−Ｍを区別しない場合は、周波数変換部１１０と称することがある。また、干渉抑圧部１０５ｃ−１，…，１０５ｃ−Ｋを区別しない場合は、干渉抑圧部１０５ｃと称することがある。また、到来検出部１０６ｃ−１，…，１０６ｃ−Ｋを区別しない場合は、到来検出部１０６ｃと称することがある。
【００６５】
周波数変換部１１０−１，…，１１０−Ｍは、各々が受信アンテナ１０１−１，…，１０１−Ｍのうちの１つの受信アンテナ１０１と１対１で接続し、接続する受信アンテナ１０１で受信された信号である時間領域の受信信号を、周波数領域の受信信号に変換する。
【００６６】
信号測定部１０２ｃは、周波数変換部１１０−１，…，１１０−Ｍで周波数領域に変換された受信信号について、マルチキャリア信号毎に特徴量を測定する。信号測定部１０２ｃにおいて各マルチキャリア信号の特徴量を測定する方法は、実施の形態１などにおいて信号測定部１０２が各受信信号の特徴量を測定する方法と同様である。
【００６７】
重み係数生成部１０３ｃは、信号測定部１０２ｃで測定されたマルチキャリア信号毎の特徴量から各特徴量についての相関値を求め、周波数変換部１１０−１，…，１１０−Ｍで周波数領域に変換された受信信号を抑圧するため、マルチキャリア信号毎に重み係数を生成する。
【００６８】
リングバッファ１０４ｃは、重み係数生成部１０３ｃで生成されたマルチキャリア信号毎の重み係数を順番に保管する。
【００６９】
干渉抑圧部１０５ｃ−１，…，１０５ｃ−Ｋは、各々がリングバッファ１０４ｃに保管された異なる周波数変換後の受信信号に基づいて生成されたマルチキャリア信号毎の重み係数を用いて、周波数変換部１１０−１，…，１１０−Ｍで周波数領域に変換された受信信号に対して、マルチキャリア信号毎に干渉抑圧処理を行う。
【００７０】
到来検出部１０６ｃ−１，…，１０６ｃ−Ｋは、干渉抑圧部１０５ｃ−１，…，１０５ｃ−Ｋにおいてマルチキャリア信号毎に干渉抑圧処理が行われた周波数領域の受信信号を用いて、無線送信装置３００からの所望信号の到来を検出する。
【００７１】
到来判定部１０７ｃは、到来検出部１０６ｃ−１，…，１０６ｃ−Ｋで所望信号が検出されたか否かを判定する。
【００７２】
復調処理部１０８ｃは、到来判定部１０７ｃにおいて所望信号が到来したと判定された場合、受信アンテナ１０１−１，…，１０１−Ｍで受信された所望信号に対して復調処理を施す。
【００７３】
実施の形態４では、実施の形態２で示した図９の受信環境と同一の受信環境において、プリアンブル信号がＯＦＤＭ信号を例としたマルチキャリア信号の場合を想定している。この場合、無線受信装置１００ｃは、周波数変換部１１０−１，…，１１０−Ｍにて時間領域の受信信号を周波数領域の受信信号に変換し、変換した周波数領域の受信信号に対して、特徴量の測定、重み係数の生成などの処理を行っていく。このとき、重み係数生成部１０３ｃは、マルチキャリア数分並行して重み係数を生成し、リングバッファ１０４ｃに保管する。リングバッファ１０４ｃは、実施の形態２で説明したリングバッファ１０４ａをマルチキャリア信号毎に備えることになる。
【００７４】
これにより、無線受信装置１００ｃは、プリアンブル信号がマルチキャリア信号の場合においても、マルチキャリア信号毎に実施の形態２と同様の処理を行うことにより、重み付けによる干渉抑圧処理を実現することが可能である。
【００７５】
図１４は、実施の形態４にかかる無線受信装置１００ｃにおいて所望信号２００の到来を検出する処理を示すフローチャートである。まず、無線受信装置１００ｃでは、周波数変換部１１０−１，…，１１０−Ｍが、受信アンテナ１０１−１，…，１０１−Ｍで受信された時間領域の受信信号を、周波数領域の受信信号に変換する（ステップＳ２１）。
【００７６】
信号測定部１０２ｃは、周波数変換部１１０−１，…，１１０−Ｍで変換された周波数領域の受信信号を測定、具体的には受信信号の特徴量をマルチキャリア信号毎に測定する（ステップＳ２２）。
【００７７】
重み係数生成部１０３ｃは、信号測定部１０２ｃで測定されたマルチキャリア信号毎の特徴量を用いてマルチキャリア信号毎の重み係数を生成する（ステップＳ２３）。干渉抑圧部１０５ｃ−１，…，１０５ｃ−Ｋは、重み係数生成部１０３ｃで生成されてリングバッファ１０４ｃに保管されたマルチキャリア信号毎の重み係数を用いて、周波数領域の受信信号に対して、マルチキャリア信号毎に干渉抑圧処理を行う（ステップＳ２４）。到来検出部１０６ｃ−１，…，１０６ｃ−Ｋは、干渉抑圧部１０５ｃ−１，…，１０５ｃ−Ｋにおいて干渉抑圧処理が行われた受信信号から所望信号の到来の検出を試みる（ステップＳ４）。以降のステップＳ４からステップＳ５までの処理は、実施の形態２などと同様である。
【００７８】
なお、無線受信装置１００ｃの構成については、図６および図７に示す実施の形態１と同様のハードウェアにより実現される。
【００７９】
以上説明したように、本実施の形態によれば、無線受信装置１００ｃでは、所望信号に含まれるプリアンブル信号がマルチキャリア信号の場合、マルチキャリア信号毎に受信信号を測定した測定結果を用いて重み係数を生成し、マルチキャリア信号毎に干渉抑圧処理および所望信号の到来を検出する処理を行うこととした。これにより、無線受信装置１００ｃは、プリアンブル信号がマルチキャリア信号の場合においても、マルチキャリア信号毎に実施の形態２と同様の処理を行うことにより、到来する信号に対して重み付けによる干渉抑圧処理を実現することができる。
【００８０】
実施の形態５．
実施の形態５では、実施の形態３と同様の受信環境において、プリアンブル信号がＯＦＤＭ信号を例としたマルチキャリア信号の場合について説明する。実施の形態３および４と異なる部分について説明する。
【００８１】
図１５は、実施の形態５にかかる無線受信装置１００ｄの構成例を示すブロック図である。なお、図１５では、実施の形態５の説明で必要となる構成要素のみを記載しており、一般的な構成については記載を省略している。無線受信装置１００ｄは、無線受信装置１００ｃに対して、到来判定部１０７ｃを到来判定部１０７ｄに置き換え、さらに、到来検出部１０６ｄ、および変化量測定部１０９ｄを追加したものである。
【００８２】
到来検出部１０６ｄは、干渉抑圧部１０５ｃ−１〜１０５ｃ−Ｋのいずれとも接続せず、周波数変換部１１０−１〜１１０−Ｍで周波数領域の受信信号に変換されて干渉抑圧処理が行われていない受信信号を用いて、所望信号の到来を検出する。到来検出部１０６ｄの動作は、前述の到来検出部１０６ｃ−１などの動作と同様である。なお、到来検出部１０６ｃ−１〜１０６ｃ−Ｋを第１の到来検出部とし、到来検出部１０６ｄを第２の到来検出部とする。
【００８３】
変化量測定部１０９ｄは、信号測定部１０２ｃにおいて測定された測定結果すなわちマルチキャリア信号毎の特徴量の変化量を測定する。変化量測定部１０９ｄは、具体的に、信号測定部１０２ｃから出力されたマルチキャリア信号毎の特徴量を受信電力に変換し、受信電力の変化量を測定する。変化量測定部１０９ｄは、測定した変化量に基づいて、無線受信装置１００ｄにおける受信信号の受信状況の変化を判定する。
【００８４】
到来判定部１０７ｄは、Ｋ＋１個の到来検出部１０６ｃ−１〜１０６ｃ−Ｋ，１０６ｄと接続可能であり、到来検出部１０６ｃ−１〜１０６ｃ−Ｋ，１０６ｄで所望信号が検出されたか否かを判定する。ここで、到来判定部１０７ｄは、変化量測定部１０９ｄの判定に基づいて、到来検出部１０６ｃ−１〜１０６ｃ−Ｋの検出結果を使用するか、到来検出部１０６ｄの検出結果を使用するかを決定する。
【００８５】
実施の形態５では、実施の形態３で示した図１１の受信環境と同一の受信環境において、プリアンブル信号がＯＦＤＭ信号を例としたマルチキャリア信号の場合を想定している。この場合、無線受信装置１００ｄでは、図１３に示す実施の形態４の無線受信装置１００ｃに対して追加された変化量測定部１０９ｄが、信号測定部１０２ｃからの出力であるマルチキャリア信号毎の特徴量からその変化量を測定し、受信信号の受信状況が変化したか否かを判定する。到来判定部１０７ｄは、変化量測定部１０９ｄからの通知に基づいて、干渉抑圧処理が行われた受信信号を対象にした到来検出部１０６ｃ−１，…，１０６ｃ−Ｋの検出結果を使用するか、または、干渉抑圧処理が行われていない到来検出部１０６ｄの検出結果を使用するかを判断する。
【００８６】
これにより、無線受信装置１００ｄは、プリアンブル信号がマルチキャリア信号の場合においても、マルチキャリア信号毎に実施の形態３と同様の処理を行うことにより、干渉信号の突然の消失または出現にも対応しつつ、到来する信号に対して重み付けによる干渉抑圧処理を実現することが可能である。
【００８７】
図１６は、実施の形態５にかかる無線受信装置１００ｄにおいて所望信号２００の到来を検出する処理を示すフローチャートである。ステップＳ２１からステップＳ２４までの処理は、実施の形態４の処理と同様である。
【００８８】
無線受信装置１００ｄでは、変化量測定部１０９ｄが、信号測定部１０２ｃで測定された受信信号のマルチキャリア信号毎の特徴量の変化量を測定する（ステップＳ３１）。変化量測定部１０９ｄは、受信信号の受信状況が変化したか否かを到来判定部１０７ｄに通知する。到来判定部１０７ｄは、変化量測定部１０９ｄからの通知に基づいて、到来検出に使用する到来検出部を決定する（ステップＳ３２）。到来判定部１０７ｄは、前述のように、変化量測定部１０９ｄから受信信号の受信状況が変化した旨の通知を受けた場合、干渉抑圧処理を行っていない受信信号を用いて到来検出を行う到来検出部１０６ｄを使用することを決定する。一方、到来判定部１０７ｄは、変化量測定部１０９ｄから受信信号の受信状況が変化していない旨の通知を受けた場合、干渉抑圧処理を行った受信信号を用いて到来検出を行う到来検出部１０６ｃ−１〜１０６ｃ−Ｋを使用することを決定する。
【００８９】
以降のステップＳ４からステップＳ５までの処理は、実施の形態３の処理と同様である。なお、図１６のフローチャートでは、無線受信装置１００ｄは、ステップＳ２４の処理の後にステップＳ３１およびステップＳ３２の処理を行っているが、ステップＳ２３およびステップＳ２４の処理と、ステップＳ３１およびステップＳ３２の処理を並行して行ってもよい。
【００９０】
なお、無線受信装置１００ｄの構成については、図６および図７に示す実施の形態１と同様のハードウェアにより実現される。
【００９１】
以上説明したように、本実施の形態によれば、無線受信装置１００ｄでは、所望信号に含まれるプリアンブル信号がマルチキャリア信号の場合、マルチキャリア信号毎に受信信号を測定した測定結果を用いて重み係数を生成し、マルチキャリア信号毎に干渉抑圧処理および所望信号の到来を検出する処理を行うこととした。これにより、無線受信装置１００ｄは、プリアンブル信号がマルチキャリア信号の場合においても、マルチキャリア信号毎に実施の形態３と同様の処理を行うことにより、干渉信号の突然の消失または出現にも対応しつつ、到来する信号に対して重み付けによる干渉抑圧処理を実現することができる。
【００９２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００９３】
１００，１００ａ，１００ｂ，１００ｃ，１００ｄ  無線受信装置、１０１−１〜１０１−Ｍ  受信アンテナ、１０２，１０２ｃ  信号測定部、１０３，１０３ｃ  重み係数生成部、１０４，１０４ａ，１０４ｃ  リングバッファ、１０５−１〜１０５−Ｋ，１０５ｃ−１〜１０５ｃ−Ｋ  干渉抑圧部、１０６−１〜１０６−Ｋ，１０６ｂ，１０６ｃ−１〜１０６ｃ−Ｋ，１０６ｄ  到来検出部、１０７，１０７ａ，１０７ｂ，１０７ｃ，１０７ｄ  到来判定部、１０８，１０８ｃ  復調処理部、１０９，１０９ｄ  変化量測定部、１１０−１〜１１０−Ｍ  周波数変換部、３００，４００，４０１  無線送信装置、５００  無線通信システム。
【図１】
2018051454.tif 000003
【図２】
2018051454.tif 000004
【図３】
2018051454.tif 000005
【図４】
2018051454.tif 000006
【図５】
2018051454.tif 000007
【図６】
2018051454.tif 000008
【図７】
2018051454.tif 000009
【図８】
2018051454.tif 000010
【図９】
2018051454.tif 000011
【図１０】
2018051454.tif 000012
【図１１】
2018051454.tif 000013
【図１２】
2018051454.tif 000014
【図１３】
2018051454.tif 000015
【図１４】
2018051454.tif 000016
【図１５】
2018051454.tif 000017
【図１６】
2018051454.tif 000018
【国際調査報告】
2018051454.tif 000019
2018051454.tif 000020
2018051454.tif 000021
2018051454.tif 000022